(57)【特許請求の範囲】
【請求項１】
安定して接地可能な脚体とこの脚体に支持された座及び背とを具備するものであって、
座が脚体に水平旋回可能に支持されているものであり、
背が、座の後方において左右方向に沿って形成された背面部と、座のいずれか一側方のみにおいて奥行き方向に沿って形成された側面部とを具備し、背面部と側面部とを平面視互いに略直交させるとともに、背面部及び側面部の上端をそれぞれ肘掛けとして使用できるものであることを特徴とする椅子。
【請求項２】
座が平面視円形状のものであり、その旋回中心と座の中心とを一致させている請求項１記載の机。
【請求項３】
配置姿勢を水平に９０度回転させて変更することにより、変更前の配置姿勢と、変更後の配置姿勢とが平面視対称となるように構成している請求項１または２記載の椅子。
【請求項４】
脚体が、平面視正方形の頂点に位置するように配設された４本の脚を具備するものであり、背がこれら隣接する脚の上端部間に横架されて形成されたものである請求項３記載の椅子。
【請求項５】
隣接する各脚が連結材により互いに強結され、脚体として自立性を有するように構成されたものであって、背に対向する脚間を補助連結材を用いて連結している請求項４記載の椅子。
【発明の詳細な説明】
【０００１】
【発明の属する技術分野】
本発明は、座が脚体に対し旋回可能に支持された椅子に関する。
【０００２】
【従来の技術】
従来、椅子において、起立あるいは着座時の便を考慮して種々の工夫がなされている。例えば、肘掛けは、着座中に使用者が肘を置いてリラックスした姿勢をとれるものであるが、着座・起立時に手がかりとして用いることもできる。また、事務用等に使う椅子のように背座が回転するものは、机に向かう時と起立着座すべく机に対して横を向く時とで、容易に姿勢を変えることができる。
【０００３】
【発明が解決しようとする課題】
しかしながら、妊婦や高齢者あるいは身体の不自由な人のように、何かを手がかりにしなければ、自力では椅子に起立着座することが難しい人にとっては、従来の椅子は種々の不具合があった。例えば固定の肘付きの椅子の場合は、肘掛けを手がかりにして起立着座を行なえるが、机を用いている場合には、起立着座の際に椅子を引かなければならず、上述したような人にとってはこの動作が難しい。また、キャスタ付椅子の場合には椅子を引く動作は簡単になるが、肘掛けに体重を預けた時に椅子自体が動く恐れがある。これは、背座及び肘掛けが回転するタイプのものにも同様のことが言える。
【０００４】
一方、椅子を引くことなく起立着座動作できるように、肘掛けをなくすとともに座のみを回転させるようにしたものもあるが、肘掛けがないため、起立着座の際の手がかりがないという不具合があるうえ、使用者は腰掛けた時に背のない方向に向かって腰掛けることになるため、例えば起立し損ねて腰砕けのようになりながら着座することになった際等に、仰向けに倒れてしまう恐れがある。
【０００５】
【課題を解決するための手段】
本発明は、係る不具合を解消して、妊婦や高齢者あるいは身体の不自由な人に好適な椅子を提供すべく、床面に安定接地する脚体に座のみを旋回可能に構成するととともに、背を座の後方およびいずれか一側方に設けたものであり、椅子を引くことなく着座、起立が可能で、その際に使用者が背を手がかりにでき、安全性も高いものを提供することを主たる目的としている。
【０００６】
【発明の実施の形態】
すなわち、本発明に係る椅子は、安定して接地可能な脚体とこの脚体に支持された座及び背とを具備するものであって、座が脚体に水平旋回可能に支持されているものであり、背が、座の後方において左右方向に沿って形成された背面部と、座のいずれか一側方のみにおいて奥行き方向に沿って形成された側面部とを具備し、背面部と側面部とを平面視互いに略直交させるとともに、背面部及び側面部の上端をそれぞれ肘掛けとして使用できるものであることを特徴とする。
【０００７】
このような構成によると、座の正面を机に対向させるように配置した状態で、使用者は椅子を引くことなく、背が形成されていない他側方から着座し、その後、座を旋回させて机に向かって座ることができる。そして、着座中は、一側方に形成されている背を肘掛けとして使用できる。一方、起立時には、座を前記とは逆に旋回させて他側方に向き、起立することができる。このように使用者は、椅子自体を動かすことなく着座起立動作を行なえる。また、脚体が床面に安定して接地しているため、背は安定して動かない。したがって、着座起立動作の際に、使用者は、座の後方に形成されている背に安心してつかまることができる。さらに背が肘掛けとしても使用できるものであるため、つかまりやすいという効果もある。加えて、起立し損ねるなどして、腰砕けのようになりながら着座することとなっても、一側方に形成されている背により、使用者がそのまま仰向けに倒れてしまうという事態を回避できる。
【０００８】
このように、何かにつかまらなければ自力での着座起立動作がままならない妊婦や高齢者等にとって、使い勝手が極めてよく、しかも安全な椅子を提供することができることとなる。
使用者が安定した着座姿勢を得られる背の具体的実施態様としては、背が、座の後方において左右方向に沿って形成された背面部と、座の一側方において奥行き方向に沿って形成された側面部とを具備し、これら背面部と側面部とを平面視互いに略直交するように構成してなるものが挙げられる。
【０００９】
座が旋回するうえで他の部材に干渉することを容易に防止するには、座が平面視円形状のものであり、その旋回中心と座の中心とを一致させているものが望ましい。
【００１０】
着座起立方向を容易に反対にすることができるようにするには、配置姿勢を水平に９０度回転させて変更することにより、変更前の配置姿勢と、変更後の配置姿勢とが平面視対称となるように構成しているものが好ましい。このようなものであれば、例えば机に対して椅子を置く向きを９０度変えるだけで、着座起立方向を反対にすることができるからである。
【００１１】
このような構成を実現する実施態様としては、脚体が、平面視正方形の頂点に位置するように配設された４本の脚を具備するものであり、背がこれら隣接する脚の上端部間に横架されて形成されたものであることが挙げられる。
係る場合に脚体の強度的なバランスを保つには、隣接する各脚が連結材により互いに強結され、脚体として自立性を有するように構成されたものであって、背に対向する脚間を補助連結材を用いて連結しているものが好ましい。
【００１２】
【実施例】
以下、本発明の一実施例を、図１〜図７を参照して説明する。
本実施例に係る椅子は、図１〜図６に示すように、安定して接地可能な脚体１とこの脚体１に支持された座２及び背３とを具備してなるものである。なお、図中矢印Ｓは前方（正面方向）を示す。
【００１３】
脚体１は、平面視正方形の頂点に位置するように配設された木製の４本の脚１１ａ〜１１ｄと、隣接する脚１１ａ〜１１ｄを互いに強結し、各脚１１ａ〜１１ｄを拘束して自立性をもたせる木製角柱状の連結材１２とを主体として構成されている。各脚１１ａ〜１１ｄの下端にはキャスタ等の転動、滑動部材は取り付けられておらず、床面に安定して接地する。座２の前方に位置する脚１１ａ、脚１１ｄ間、及び他側方に位置する脚１１ｄ、脚１１ｃ間には、連結材１２の下方において円柱状の補助連結材１４が設けられている。係る補助連結材１４は、脚１１ｄが背３による連結がないため設けられたものであって、主として脚体１の強度的バランスを保つべく、後述する背３と対向するように配置してある。
【００１４】
座２は、平面視円形状のもので、脚体１に対し旋回機構４を介して水平旋回可能に支持されている。旋回機構４は、矩形状の上板４１と下板４２をかしめピン４３等で軸着するとともにその間に図示しないベアリングを介在させて互いに旋回可能に構成したものある。しかして、下板４２を対向する連結材１２間に横架した一対の横架材１３上にねじ止めして固着するとともに、上板４１を座２の下面にねじ止めして固着することにより、座２を脚体１に対して円滑に旋回できるように支持させている。一方、座２の旋回中心は、座２の中心に一致するように設定してあり、座２が旋回により他の部材に干渉することを防止している。また、座２の中心は、脚体１の中心、すなわち脚１１ａ〜１１ｄにより構成される平面視正方形の中心より、若干前方かつ他側方に偏位させてあり、座２が脚体１よりも前方及び他側方に突出するように設定してある。なお、旋回機構はこの他の構造のものでもよいのは言うまでもない。
【００１５】
背３は、４本の脚１１ａ〜１１ｄのうち、後方及び一側方に位置するもの１１ａ〜１１ｃを座２より上方に延出し、それらの上端部間に配設したもので、座２の後方において左右方向に沿って形成された背面部３１と、座２の一側方において奥行き方向に沿って形成された側面部３２とを具備する。しかして、これら背面部３１と側面部３２とが平面視互いに略直交するように構成するとともに、それらの高さを、使用者が着座した時にその上端を肘掛けとしても使用できる程度に設定している。詳述すると、背面部３１は、座２の後方に互いに隣接して位置する脚１１ｂ、１１ｃの上端部間に横架した木製の背板３１ａと、この背板３１ａの上面及び内側面を覆うように配設したクッション材３１ｂとからなる。一方、側面部３２は、座２の一側方に互いに隣接して位置する脚１１ａ、１１ｂの上端部間に横架した背板３２ａと、この背板３２ａの上面及び内側面を覆うように取着したクッション材３２ｂとからなる。各クッション材３１ｂ、３２ｂの内側面は平面視部分円弧を形成するように若干窪ませてあり、もたれた際に使用者に安定感をもたらすように構成している。また、各クッション材３１ｂ、３２ｂの上面部は背板３１ａ、３２ａよりも外方に膨出させ、上面の面積を大きくして、肘掛けとして好適に使用できるようにしている。また、これら背面部３１、側面部３２は、対角上に位置する脚１１ｂ、１１ｄを結んだ仮想線Ｃに対して互いに略対称な形状となるように構成しており、椅子の配置姿勢を水平に９０度回転させて変更することにより、変更前の配置姿勢と変更後の配置姿勢とが平面視対称となるようにしている。
【００１６】
このような構成によると、図７に示すように、座２の正面を机に対向させるように配置した状態で、使用者は、椅子を引くことなく、背３が形成されていない他側方から着座し、その後、座２を旋回させて机ＤＳＫに向かって座ることができる。一方、着座している使用者は、座２を前記とは逆に旋回させて他側方を向き起立することができる。このように使用者は椅子自体を動かすことなく着座起立を行なえる。また、脚体１が安定して床面に接地しており背３は動かないので、着座起立の際に、使用者は安心して背面部３１につかまることができる。しかも、背３は肘掛けとして使用できる程度の高さであるのでつかまりやすい。さらに、起立し損ねるなどして、腰砕けのようになりながら着座することとなっても、側面部３２により、使用者がそのまま仰向けに倒れてしまうという事態を回避できる。
【００１７】
このように本実施例によれば、特に何かにつかまらなければ着座起立動作がままならない妊婦や高齢者等にとって、使い勝手が極めてよく、しかも安全なものを提供することができる。
さらに、机に対して椅子を置く向きを９０度変えるだけで、着座起立方向を反対にすることができるうえ、このように互いに配置姿勢を異ならせるようにして複数の椅子を並べても、全体的な外観上のバランスを崩すことがない。
【００１８】
なお、本発明は上述した実施例に限られず、種々の変形が可能である。座も平面視円形状に限られるものではない。さらに、例えば脚の下端にキャスタを取り付けたものであっても、キャスタがロック付のものでありロックすることにより脚体が床面に安定して接地可能なものであれば、本発明を適用できる。
【００１９】
その他、本発明は上記図示例に限られず、その趣旨を逸脱しない範囲で種々の変形か可能である。
【００２０】
【発明の効果】
以上詳述したように、本発明は、床面に安定接地する脚体に座のみを旋回可能に構成するととともに、上端を肘掛けとして使用できる背を座の後方およびいずれか一側方のみに設けるようにしたため、使用者は、椅子を引くことなく着座、起立が可能となり、しかもその際に背を手がかりにできるようになる。また、起立し損ねるなどして腰砕けのようになりながら着座することとなっても、一側方に形成されている背により、使用者がそのまま仰向けに倒れてしまうという事態を回避できる。したがって、何かにつかまらなければ自力での着座起立動作がままならない妊婦や高齢者等にとって、使い勝手が極めてよく、しかも安全な椅子を提供することができることとなる。
【００２１】
背が、座の後方において左右方向に沿って形成された背面部と、座の一側方において奥行き方向に沿って形成された側面部とを具備し、これら背面部と側面部とを平面視互いに略直交するように構成してなるものであれば、着座時の安定性を好適に得ることができる。
【００２２】
座が平面視円形状のものであり、その旋回中心と座の中心とを一致させているものであれば、座が旋回するうえで他の部材に干渉することを容易に防止することができる。
配置姿勢を水平に９０度回転させて変更することにより、変更前の配置姿勢と、変更後の配置姿勢とが平面視対称となるように構成しているものであれば、着座起立方向を容易に反対にすることができるのみならず、このように配置姿勢の異なる椅子を配列しても、全体として外観上のバランスを崩すことがない。
【００２３】
脚体が、平面視正方形の頂点に位置するように配設された４本の脚を具備するものであり、背がこれら隣接する脚の上端部間に横架されて形成されたものであれば、上述した構成を容易に実現することができる。この場合に、隣接する各脚が連結材により互いに強結され、脚体として自立性を有するように構成されたものであって、背に対向する脚間を補助連結材を用いて連結しているものであれば、脚体の強度的なバランスが良好になるので、座の旋回をより安定感のあるものとすることができるだけでなく、使用者に安心感を与えることが可能となる。
【図面の簡単な説明】
【図１】本発明の一実施例における椅子を示す全体斜視図。
【図２】同実施例の椅子の正面図。
【図３】同実施例の椅子の平面図。
【図４】同実施例の椅子の分解斜視図。
【図５】図２におけるＡ−Ａ線断面図。
【図６】図２におけるＢ−Ｂ線断面図。
【図７】同実施例の使用状態を示す全体斜視図。
【符号の説明】
１…脚体
２…座
３、１０３…背
１２…連結材
１４…補助連結材
３１…背面部
３２…側面部
１１ａ、１１ｂ、１１ｃ、１１ｄ…脚
【図１】
0003835504.tif 000002
【図２】
0003835504.tif 000003
【図３】
0003835504.tif 000004
【図４】
0003835504.tif 000005
【図５】
0003835504.tif 000006
【図６】
0003835504.tif 000007
【図７】
0003835504.tif 000008